(57)【特許請求の範囲】
【請求項１】
コネクタ嵌合室を設けたオス側コネクタハウジングを有し、前記オス側コネクタハウジングに前記コネクタ嵌合室に突出するオス端子が配置されたオス側コネクタ部と、
前記コネクタ嵌合室内に配置され、前記オス端子を保持する端子保持位置とコネクタ嵌合室の奥側の退避位置との間でコネクタ嵌合・離脱方向に移動自在に配置されたアライニングプレートと、
前記コネクタ嵌合室に嵌合可能なメス側コネクタハウジングを有し、前記メス側コネクタハウジングにメス端子が配置されたメス側コネクタ部と、
前記アライニングプレートを端子保持位置に保持するプレート保持手段と、
前記メス側コネクタハウジングと前記アライニングプレートのいずれか一方に圧入リブが設けられ、他方に圧入孔が設けられ、前記メス側コネクタハウジングのコネクタ嵌合過程で、端子保持位置の前記アライニングプレートに対し前記圧入リブが前記圧入孔に圧入するプレート位置復帰手段と、
前記メス側コネクタハウジングの前記コネクタ嵌合室への嵌合過程で、前記圧入リブが前記圧入孔に圧入された後に、前記プレート保持手段の保持を解除するプレート保持解除手段と、
前記アライニングプレートを端子保持位置よりコネクタ離脱方向に移動するのを阻止するプレート抜け防止手段とを備えたことを特徴とするコネクタ。
【請求項２】
請求項１記載のコネクタであって、
前記メス側コネクタハウジングには、一方向への操作で前記メス側コネクタハウジングにコネクタ嵌合方向の嵌合力を作用させ、前記とは逆の他方向への操作で前記メス側コネクタハウジングにコネクタ離脱方向の離脱力を作用させるレバーが設けられていることを特徴とするコネクタ。
【請求項３】
請求項１又は請求項２記載のコネクタであって、
前記メス側コネクタハウジングには、前記圧入孔が設けられ、前記アライニングプレートには前記圧入リブが設けられたことを特徴とするコネクタ。
【発明の詳細な説明】
【技術分野】
【０００１】
本発明は、オス端子の保持を行うアライニングプレートを有するコネクタに関する。
【背景技術】
【０００２】
この種の従来のコネクタとして、特許文献１に記載されたものがある。このコネクタ１００は、図２９に示すように、オス側コネクタハウジング１０１のコネクタ嵌合室１０２にオス端子１０３が配置されたオス側コネクタ部１０４と、コネクタ嵌合室１０２内に配置され、オス端子１０３を保持する端子保持位置からコネクタ嵌合室１０２の奥側の退避位置に移動自在に配置されたアライニングプレート１１０と、コネクタ嵌合室１０２に嵌合可能なメス側コネクタハウジング１２０を有し、メス側コネクタハウジング１２０にメス端子（図示せず）が配置されたメス側コネクタ部１２１とを備えている。
【０００３】
オス側コネクタハウジング１０１には、アライニングプレート１１０を端子保持位置（実線の位置）に保持するプレート保持アーム１０５が複数箇所に設けられている。アライニングプレート１１０には、各オス端子１０３の適正な位置に端子挿通孔（図示せず）がそれぞれ設けられている。アライニングプレート１１０は、各オス端子１０３を適正な位置に保持し、整列させている。
【０００４】
この従来例では、メス側コネクタハウジング１２０をコネクタ嵌合室１０２に嵌合すると、そのコネクタ嵌合過程でメス側コネクタハウジング１２０がアライニングプレート１１０を押圧する。すると、この押圧力でプレート保持アーム１０５が矢印方向に強制的に弾性変形してアライニングプレート１１０の保持が解除される。保持が解除されたアライニングプレート１１０は、メス側コネクタハウジング１２０に押圧される等してコネクタ嵌合室１０２の奥の退避位置（仮想線の位置）まで移動する。アライニングプレート１１０が退避することでメス端子（図示せず）がオス端子１０３との嵌合位置に進入し、コネクタ嵌合位置では双方の端子間が接続される。
【先行技術文献】
【特許文献】
【０００５】
【特許文献１】特開２００９−１８７８６５号公報
【発明の概要】
【発明が解決しようとする課題】
【０００６】
しかしながら、前記従来例では、アライニングプレート１１０を退避位置から端子保持位置に戻す機構がないため、２回目以降のコネクタ嵌合作業時にはアライニングプレート１１０が端子保持・整列機能を行わない。そのため、アライニングプレート１１０を退避位置から端子保持位置に戻すプレート位置復帰手段を備えたコネクタの開発が要請されている。
【０００７】
そこで、本発明は、前記した課題を解決すべくなされたものであり、コネクタ離脱過程で、アライニングプレートを退避位置から端子保持位置に戻すことができるコネクタを提供することを目的とする。
【課題を解決するための手段】
【０００８】
本発明は、コネクタ嵌合室を設けたオス側コネクタハウジングを有し、前記オス側コネクタハウジングに前記コネクタ嵌合室に突出するオス端子が配置されたオス側コネクタ部と、前記コネクタ嵌合室内に配置され、前記オス端子を保持する端子保持位置とコネクタ嵌合室の奥側の退避位置との間でコネクタ嵌合・離脱方向に移動自在に配置されたアライニングプレートと、前記コネクタ嵌合室に嵌合可能なメス側コネクタハウジングを有し、前記メス側コネクタハウジングにメス端子が配置されたメス側コネクタ部と、前記アライニングプレートを端子保持位置に保持するプレート保持手段と、前記メス側コネクタハウジングと前記アライニングプレートのいずれか一方に圧入リブが設けられ、他方に圧入孔が設けられ、前記メス側コネクタハウジングのコネクタ嵌合過程で、端子保持位置の前記アライニングプレートに対し前記圧入リブが前記圧入孔に圧入するプレート位置復帰手段と、前記メス側コネクタハウジングの前記コネクタ嵌合室への嵌合過程で、前記圧入リブが前記圧入孔に圧入された後に、前記プレート保持手段の保持を解除するプレート保持解除手段と、前記アライニングプレートを端子保持位置よりコネクタ離脱方向に移動するのを阻止するプレート抜け防止手段とを備えたことを特徴とするコネクタである。
【０００９】
前記メス側コネクタハウジングには、一方向への操作で前記メス側コネクタハウジングにコネクタ嵌合方向の嵌合力を作用させ、前記とは逆の他方向への操作で前記メス側コネクタハウジングにコネクタ離脱方向の離脱力を作用させるレバーが設けられているものを含む。前記メス側コネクタハウジングには、前記圧入孔が設けられ、前記アライニングプレートには前記圧入リブが設けられることが好ましい。
【発明の効果】
【００１０】
本発明によれば、メス側コネクタハウジングのコネクタ嵌合過程で圧入リブが圧入孔に圧入され、これによってメス側コネクタハウジングとアライニングプレートが合体し、その後、メス側コネクタハウジングのコネクタ離脱過程にあっては、メス側コネクタハウジングと共にアライニングプレートが端子保持位置まで戻されると、アライニングプレートの移動がプレート抜け防止手段によって阻止されて圧入リブが圧入孔より外れ、これによってメス側コネクタハウジングとアライニングプレートの合体が解除される一方、端子保持位置まで移動したアライニングプレートが再びプレート保持手段で保持される。以上より、コネクタ離脱過程で、アライニングプレートを退避位置から端子保持位置に戻すことができる。
【図面の簡単な説明】
【００１１】
【図１】本発明の一実施形態を示し、コネクタの分解斜視図である。
【図２】本発明の一実施形態を示し、レバーを除くコネクタの分解斜視図である。
【図３】本発明の一実施形態を示し、プレート保持手段の要部斜視図である。
【図４】本発明の一実施形態を示し、嵌合完了状態のコネクタの平面図である。
【図５】本発明の一実施形態を示し、図４のＡ−Ａ線断面図である。
【図６】本発明の一実施形態を示し、図５の要部拡大図である。
【図７】本発明の一実施形態を示し、コネクタ嵌合動作の一過程を示すコネクタの正面図である。
【図８】本発明の一実施形態を示し、図７のＢ−Ｂ線断面図である。
【図９】本発明の一実施形態を示し、コネクタ嵌合動作の一過程を示すコネクタの断面図である。
【図１０】本発明の一実施形態を示し、図９と同じ一過程のコネクタの正面図である。
【図１１】本発明の一実施形態を示し、図１０のＣ−Ｃ線断面図である。
【図１２】本発明の一実施形態を示し、コネクタ嵌合動作の一過程を示すコネクタの断面図である。
【図１３】本発明の一実施形態を示し、図１２と同じ一過程のコネクタの正面図である。
【図１４】本発明の一実施形態を示し、図１３のＤ−Ｄ線断面図である。
【図１５】本発明の一実施形態を示し、（ａ）はプレート保持アームの被押圧突部が解除突部に押圧された状態を示す要部断面図、（ｂ）はプレート保持アームが解除位置に変位した状態を示す要部断面図である。
【図１６】本発明の一実施形態を示し、コネクタ嵌合動作の一過程（コネクタ完全嵌合状態）を示すコネクタの正面図の正面図である。
【図１７】本発明の一実施形態を示し、図１６のＥ−Ｅ線断面図である。
【図１８】本発明の一実施形態を示し、コネクタ離脱動作の一過程を示すコネクタの正面図である。
【図１９】本発明の一実施形態を示し、図１８のＦ−Ｆ線断面図である。
【図２０】本発明の一実施形態を示し、コネクタ離脱動作の一過程を示すコネクタの断面図である。
【図２１】本発明の一実施形態を示し、図２０と同じ一過程のコネクタの正面図である。
【図２２】本発明の一実施形態を示し、図２１のＧ−Ｇ線断面図である。
【図２３】本発明の一実施形態を示し、コネクタ離脱動作の一過程を示すコネクタの断面図である。
【図２４】本発明の一実施形態を示し、図２３と同じ一過程のコネクタの正面図である。
【図２５】本発明の一実施形態を示し、図２４のＨ−Ｈ線断面図である。
【図２６】本発明の一実施形態を示し、コネクタ離脱動作の一過程（コネクタ完全離脱状態）を示すコネクタの断面図である。
【図２７】本発明の一実施形態を示し、図２６と同じ一過程のコネクタの断面図である。
【図２８】本発明の一実施形態を示し、図２７のＩ−Ｉ線断面図である。
【図２９】従来例のコネクタの断面図である。
【発明を実施するための形態】
【００１２】
以下、本発明の一実施形態を図面に基づいて説明する。
【００１３】
図１〜図２８は本発明の一実施形態を示す。図１〜図６に示すように、コネクタ１は、オス側コネクタ部２とアライニングプレート１０とメス側コネクタ部２０とレバー３０とを備えている。
【００１４】
オス側コネクタ部２は、一面が開口されたコネクタ嵌合室４を有するオス側コネクタハウジング３を有する。オス側コネクタハウジング３には、コネクタ嵌合室４の底面より奥に複数の端子収容室５（図５、図６等参照）が設けられている。この各端子収容室５にオス端子（図示せず）がそれぞれ配置されている。各オス端子のタブ部（図示せず）は、コネクタ嵌合室４の底面より開口に向かって突出する状態で配置されている。
【００１５】
オス側コネクタハウジング３には、コネクタ嵌合室４のほぼ四隅の位置にプレート保持手段であるプレート保持アーム６がそれぞれ設けられている。プレート保持アーム６は、図３に示すように、コネクタ嵌合室４の奥に向かって延設された片持ち支持の弾性アームである。プレート保持アーム６は、その下端側（自由端側）にプレート用フック部６ａを有する。４か所のプレート保持アーム６は、アライニングプレート１０を端子保持位置で保持する。プレート保持アーム６の下端側（自由端）には、被押圧突部６ｂが一体に設けられている。
【００１６】
オス側コネクタハウジング３の対向する一対の内壁には、一対の段部７が形成されている（図９、図１２等参照）。オス側コネクタハウジング３の対向する一対の内壁には、一対のレバー突部用ガイド溝８が形成されている。各レバー突部用ガイド溝８は、コネクタ嵌合方向に沿って延びる垂直部（符号を付さず）と、垂直部の奥で連続し、奥に向かって傾斜する傾斜部（符号を付さず）とから構成されている。
【００１７】
アライニングプレート１０は、扁平な長方形状のプレ−トである。アライニングプレート１０には、各オス端子の適正な真上位置に端子挿通孔１１がそれぞれ形成されている。アライニングプレート１０は、各オス端子を適正な位置に保持し、整列させる。アライニングプレート１０は、コネクタ嵌合室４内に配置されている。アライニングプレート１０は、オス端子を保持する端子保持位置（図８の位置）とコネクタ嵌合室４の奥側の退避位置（図１７の位置）との間でコネクタ嵌合・離脱方向に移動自在である。アライニングプレート１０には、四隅の位置に切欠部１２が形成されている。この各切欠部１２よりプレート保持アーム６が進入、退出できる。そして、切欠部１２より下方に進入したプレート保持アーム６のプレート用フック部６ａがアライニングプレート１０の下面を支持することができる。
【００１８】
アライニングプレート１０の長手方向の両側の端部には、プレート抜け防止手段である一対のプレート抜け防止アーム１３が上方に向かって突設されている。この一対のプレート抜け防止アーム１３は、アライニングプレート１０の移動時には、その弾性力によってオス側コネクタハウジング３の内側面を摺動する。一対のプレート抜け防止アーム１３は、アライニングプレート１０の端子保持位置では、オス側コネクタハウジング３の段部７に突き当たり、アライニングプレート１０の端子保持位置よりコネクタ離脱方向への移動を阻止する。
【００１９】
アライニングプレート１０の上面には、一対の圧入リブ１４が突設されている。圧入リブ１４は、細長い扁平な直方体形状である。
【００２０】
メス側コネクタ部２０は、コネクタ嵌合室４に挿入可能なメス側コネクタハウジング２１を有する。メス側コネクタハウジング２１には、複数の端子収容室２２（図５、図６等参照）が設けられている。各端子収容室２２にはメス端子（図示せず）が収容されている。各端子収容室２２には、下面側の開口（特に符号を付さず）よりオス端子のタブ部（図示せず）が進入することができる。
【００２１】
メス側コネクタハウジング２１の外面には、その四隅の位置、詳細には、アライニングプレート１０の４つの切欠部１２に対応する位置に、プレート保持解除手段である解除突部２３がそれぞれ設けられている。この４つの解除突部２３は、メス側コネクタハウジング２１のコネクタ嵌合過程で、プレート保持アーム６の被押圧突部６ｂを押圧してプレート用フック部６ａがアライニングプレート１０の下面より外れる位置（支持解除位置）までプレート保持アーム６を弾性変形させる。
【００２２】
メス側コネクタハウジング２１の底面部（コネクタ嵌合方向の先端面）には、アライニングプレート１０の圧入リブ１４に対応する位置に一対の圧入孔２４が設けられている。メス側コネクタハウジング２１のコネクタ嵌合過程で、端子保持位置のアライニングプレート１０の圧入リブ１４が圧入孔２４に圧入する。圧入リブ１４の圧入孔２４への圧入によってメス側コネクタハウジング２１とアライニングプレート１０が合体し、メス側コネクタ部２０のコネクタ離脱過程でアライニングプレート１０を退避位置から端子保持位置まで戻す（持ち上げる）。つまり、圧入リブ１４と圧入孔２４によってプレート位置復帰手段ＰＲ（図５、図６等参照）が構成されている。
【００２３】
また、メス側コネクタハウジング２１の長手方向の左右の外側面には、２箇所にレバー用ガイドピン２５が、１箇所にレバー仮保持用突部２６が設けられている。
【００２４】
レバー３０は、一対のアームプレート部３１と、これらを後端側で連結する操作部３２とを有する。一対のアームプレート部３１の先端側には、２箇所に円弧状のガイド孔３３が設けられている。この各ガイド孔３３にメス側コネクタハウジング２１の各レバー用ガイドピン２５がそれぞれ挿入（係合）されている。レバー３０は、この２箇所のガイド孔３３にメス側コネクタハウジング２１の２箇所のレバー用ガイドピン２５が挿入されることによってメス側コネクタハウジング２１に取り付けされている。各アームプレート部３１の先端部には、支持突部３４が設けられている。この支持突部３４は、コネクタ嵌合時・離脱時に、オス側コネクタハウジング３のレバー突部用ガイド溝８に挿入（係合）される。レバー３０は、コネクタ嵌合時・離脱時には、２箇所のレバー用ガイドピン２５が２箇所のガイド孔３３内の移動のみ許容され、且つ、支持突部３４がレバー突部用ガイド溝８内の移動のみ許容され、てこの原理によって低操作力でメス側コネクタハウジング２１とオス側コネクタハウジング３間に大きな嵌合力・離脱力を作用させる。
【００２５】
次に、コネクタ嵌合作業を説明する。コネクタ離脱状態にあっては、オス側コネクタハウジング３のコネクタ嵌合室４内には、アライニングプレート１０がプレート保持アーム６のプレート用フック部６ａによって端子保持位置（図７、図８の位置）に保持されている。各オス端子（図示せず）は、アライニングプレート１０によって、それぞれ適正な突出位置に位置保持されている。
【００２６】
図７、図８に示すように、レバー３０の一対の支持突部３４をオス側コネクタハウジング３の一対のレバー突部用ガイド溝８に位置合わせし、オス側コネクタハウジング３のコネクタ嵌合室４にメス側コネクタハウジング２１を挿入する。これで、図９〜図１１に示すコネクタ嵌合開始位置にセットされる。レバー３０は、メス側コネクタハウジング２１のレバー仮保持用突部２６でメス側コネクタハウジング２１の上面に対し傾斜する回転位置にセットされている。この挿入過程で、図９〜図１１に示すように、メス側コネクタハウジング２１の圧入孔２４にアライニングプレート１０の圧入リブ１４が途中まで圧入される。これにより、アライニングプレート１０がメス側コネクタハウジング２１に合体される。
【００２７】
次に、図９〜図１１の矢印方向にレバー３０の操作部３２を押圧する。すると、レバー３０がほぼ支持突部３４を支点として回転し、レバー３０の各ガイド孔３３の周縁で各レバー用ガイドピン２５を下方に押圧し、この押圧力でメス側コネクタハウジング２１がコネクタ嵌合室４内に徐々に挿入される。
【００２８】
この時、メス側コネクタハウジング２１の解除突部２３がオス側コネクタハウジング３のプレート保持アーム６の被押圧突部６ｂを押圧し始め、図１２にてＭ矢印で示す方向にプレート保持アーム６が徐々に弾性変形する。そして、図１５に示すように、圧入孔２４に圧入リブ１４が完全に圧入されるタイミングで、プレート保持アーム６のプレート用フック部６ａがアライニングプレート１０の底面より外れる位置までプレート保持アーム６が弾性変形する。これにより、アライニングプレート１０の退避位置への移動が許容される。以上より、アライニングプレート１０がメス側コネクタハウジング２１に合体した状態で退避位置への移動が許容される。
【００２９】
アライニングプレート１０がメス側コネクタハウジング２１に合体した位置より、更に、図１２〜図１４の矢印方向にレバー３０の操作部３２を押圧する。すると、レバー３０がメス側コネクタハウジング２１に対して大きな角度で回転し、レバー３０がメス側コネクタハウジング２１に強い嵌合力が作用し、端子間の嵌合を伴うコネクタ間の嵌合が低い操作力で行われる。アライニングプレート１０は、メス側コネクタハウジング２１と一体となってコネクタ嵌合室４内を退避位置の方向（下方向）に移動する。図１６、図１７に示すように、レバー３０がメス側コネクタハウジング２１の上面に平行になる操作位置まで回転すると、オス側コネクタ部２とメス側コネクタ部２０間が完全に嵌合するコネクタ嵌合完了位置となる。コネクタ嵌合完了位置では、アライニングプレート１０は、コネクタ嵌合室４の奥の底面に接する退避位置（図１７の位置）に位置する。
【００３０】
次に、コネクタ離脱動作を説明する。図１６、図１７のコネクタ嵌合完了位置にあって、レバー３０の操作部３２をコネクタ嵌合時とは逆向きに押圧する。すると、図１８〜図２０に示すように、レバー３０がメス側コネクタハウジング２１に対して大きな角度で回転し、レバー３０がメス側コネクタハウジング２１に強い離脱力が作用し、端子間の離脱を伴うコネクタ間の離脱が低い操作力で行われる。
【００３１】
この際、レバー３０がほぼ支持突部３４を支点として回転し、レバー３０の各ガイド孔３３の周縁で各レバー用ガイドピン２５を上方に押圧し、この押圧力でメス側コネクタハウジング２１がコネクタ嵌合室４内を徐々に離脱する。アライニングプレート１０は、メス側コネクタハウジング２１と一体となってコネクタ嵌合室４内を端子保持位置の方向（上方向）に移動する。メス側コネクタハウジング２１のコネクタ離脱方向への移動が進み、アライニングプレート１０が端子保持位置まで移動すると、プレート抜け防止アーム１３が段部７に当接し、アライニングプレート１０についてはこれ以上のコネクタ離脱方向への移動が阻止される。又、アライメントプレート１０が端子保持位置まで移動する過程で、メス側コネクタハウジング２１の解除突部２３がオス側コネクタハウジング３のプレート保持アーム６の被押圧突部６ｂから外れ、図２０にてＮ矢印で示す方向にプレート保持アーム６が徐々に弾性復帰変形する。そして、プレート保持アーム６のプレート用フック部６ａがアライニングプレート１０の底面を保持する位置までプレート保持アーム６が弾性復帰変形する。これにより、アライニングプレート１０は、端子保持位置に保持される。
【００３２】
更に、レバー３０の操作部３２を上方向に押圧する。すると、圧入孔２４より圧入リブ１４の離脱が開始されると共に、図２３〜図２５に示すコネクタ嵌合開始位置まで戻される。
【００３３】
この後、コネクタ嵌合開始位置のメス側コネクタハウジング２１をオス側コネクタハウジング３より引き抜くことにより、圧入孔２４より圧入リブ１４が完全に離脱すると共に、図２６〜図２８に示すようにコネクタ１の離脱が完了する。
【００３４】
以上、説明したように、コネクタ１は、メス側コネクタハウジング２１に圧入孔２４を設け、アライニングプレート１０に圧入リブ１４を設けたプレート位置復帰手段ＰＲを備えている。従って、メス側コネクタハウジング２１のコネクタ嵌合過程で圧入リブ１４が圧入孔２４に圧入され、これによってメス側コネクタハウジング２１とアライニングプレート１０が合体し、その後、メス側コネクタハウジング２１のコネクタ離脱過程にあっては、メス側コネクタハウジング２１と共にアライニングプレート１０が端子保持位置まで戻されると、アライニングプレート１０の移動がプレート抜け防止アーム（プレート抜け防止手段）１３によって阻止されて圧入リブ１４が圧入孔２４より外れ、これによってメス側コネクタハウジング２１とアライニングプレート１０の合体が解除される一方、端子保持位置まで移動したアライニングプレート１０が再びプレート保持アーム（プレート保持手段）６で保持される。以上より、コネクタ離脱過程で、アライニングプレート１０を退避位置から端子保持位置に戻すことができる。２回目以降のコネクタ嵌合作業時でもアライニングプレート１０が端子保持・整列機能を発揮する。
【００３５】
また、プレート位置復帰手段ＰＲは、圧入リブ１４と圧入孔２４から構成されている。従って、メス側コネクタハウジング２１とアライニングプレート１０の合体時や離脱時に係止音が発生しない。従って、音の勘違いによる作業不良を防止できる。つまり、メス側コネクタハウジング２１とアライニングプレート１０の合体や離脱は、作業者に音によって認識させる必要のない作業工程である。このような作業工程で音が出ると、音が出る他の作業工程との間で混同し（特に、互いの作業工程が近い場合には混同しやすく）、作業不良を発生する恐れがあるが、本発明ではこのような音の勘違いによる作業不良を防止できる。コネクタ嵌合動作を開始する前からアライニングプレート１０が何らかの理由によって退避位置に落ち込んでいる場合であっても、メス側コネクタハウジング２１のコネクタ嵌合動作で圧入リブ１４が圧入孔２４に圧入されるため、コネクタ離脱動作によってアライニングプレート１０を端子保持位置に戻すことができる。
【００３６】
更に、プレート位置復帰手段ＰＲは、圧入リブ１４と圧入孔２４から構成されるので、弾性変形部材で構成した場合に較べて強度的に強く、破損することがない。
【００３７】
この実施形態では、メス側コネクタハウジング２１に圧入孔２４を、アライニングプレート１０に圧入リブを設けたので、オス側コネクタハウジング３より外部に離脱されたメス側コネクタハウジング２１の寸法が大型化しない。メス側コネクタハウジング２１に圧入リブを、アライニングプレート１０に圧入孔を設けても良いことはもちろんである。又、メス側コネクタハウジング２１に第１圧入孔と第１圧入リブを、アライニングプレート１０に第１圧入孔に圧入する第２圧入リブと第１圧入リブが圧入する第２圧入孔を設けても良い。
【００３８】
メス側コネクタハウジング２１には、一方向への操作でメス側コネクタハウジング２１にコネクタ嵌合方向の嵌合力を作用させ、前記とは逆の他方向への操作でメス側コネクタハウジング２１にコネクタ離脱方向の離脱力を作用させるレバー３０が設けられている。従って、コネクタ嵌合過程における圧入リブ１４の圧入孔２４への圧入やコネクタ離脱過程における圧入リブ１４の圧入孔２４への離脱力は、レバー３０の低操作力によるコネクタ嵌合力やコネクタ離脱力で吸収できるため、レバー３０による作業者のコネクタ嵌合・離脱作業性を維持できる。
【符号の説明】
【００３９】
１  コネクタ
２  オス側コネクタハウジング
３  コネクタ嵌合室
６  プレート保持アーム（プレート保持手段）
１０  アライニングプレート
１３  プレート抜け防止アーム（プレート抜け防止手段）
１４  圧入リブ（プレート位置復帰手段）
２０  メス側コネクタ部
２１  メス側コネクタハウジング
２３  解除突部（プレート保持解除手段）
２４  圧入孔（プレート位置復帰手段）
３０  レバー
【図１】
0006259386.tif 000002
【図２】
0006259386.tif 000003
【図３】
0006259386.tif 000004
【図４】
0006259386.tif 000005
【図５】
0006259386.tif 000006
【図６】
0006259386.tif 000007
【図７】
0006259386.tif 000008
【図８】
0006259386.tif 000009
【図９】
0006259386.tif 000010
【図１０】
0006259386.tif 000011
【図１１】
0006259386.tif 000012
【図１２】
0006259386.tif 000013
【図１３】
0006259386.tif 000014
【図１４】
0006259386.tif 000015
【図１５】
0006259386.tif 000016
【図１６】
0006259386.tif 000017
【図１７】
0006259386.tif 000018
【図１８】
0006259386.tif 000019
【図１９】
0006259386.tif 000020
【図２０】
0006259386.tif 000021
【図２１】
0006259386.tif 000022
【図２２】
0006259386.tif 000023
【図２３】
0006259386.tif 000024
【図２４】
0006259386.tif 000025
【図２５】
0006259386.tif 000026
【図２６】
0006259386.tif 000027
【図２７】
0006259386.tif 000028
【図２８】
0006259386.tif 000029
【図２９】
0006259386.tif 000030